(57)【要約】  この発明は、外部からスプレーダンプナの内部にインキミストなどの異物が侵入せず、スプレーダンプナの内部の湿し水のミストが外部に漏れ出さないようにすることを目的とする。  この発明によれば、一対の隔壁空間がハウジングのエッジに沿って形成され、複数の空気ノズルが各隔壁空間に収容され、湿し水ローラの長さ方向に間隔を置いて配置され、圧縮空気が湿し水ローラの表面に向かって噴出される。
2009041582.tif 000002
【特許請求の範囲】
【請求項１】
湿し水ローラの長さ方向にのび、前記湿し水ローラの周方向に間隔を置いて配置され、前記湿し水ローラの表面に近接する一対のエッジ、および前記各エッジ間に形成され、前記湿し水ローラの表面に対向する開口を有するハウジングと、
前記ハウジングに収容され、前記湿し水ローラの長さ方向に間隔を置いて配置され、前記湿し水ローラの表面に湿し水をスプレーする複数のスプレーノズルと、
前記各エッジに沿って形成され、前記湿し水ローラの表面に対向する開口を有する一対の隔壁空間と、
前記各隔壁空間に収容され、前記湿し水ローラの長さ方向に間隔を置いて配置され、圧縮空気を前記湿し水ローラの表面に向かって噴出する複数の空気ノズルと、
前記各エッジに沿ってのび、前記各空気ノズルに連通し、前記各空気ノズルに圧縮空気を供給する少なくとも一対の空気供給路とを具備したことを特徴とするスプレーダンプナ。
【請求項２】
前記空気供給路は前記隔壁空間に収容されたエアチューブからなり、前記空気ノズルは前記エアチューブに形成された孔からなることを特徴とする請求項１に記載のスプレーダンプナ。
【請求項３】
前記空気供給路は前記隔壁空間の構成部材で構成された空気ダクトからなり、前記空気ノズルは前記空気ダクトに形成された孔からなることを特徴とする請求項１に記載のスプレーダンプナ。
【請求項４】
前記各エッジに沿ってぞれぞれ２つ以上の前記空気供給路が設けられ、圧縮空気が前記各空気供給路から供給され、前記各空気ノズルから噴出するようにしたことを特徴とする請求項１に記載のスプレーダンプナ。
【請求項５】
前記各隔壁空間がそれぞれ２つ以上の小区画に区切られ、前記各小区画にそれぞれ複数の前記空気ノズルが収容されていることを特徴とする請求項１に記載のスプレーダンプナ。
【請求項６】
前記空気供給路は区切られた小区画に共通の共通供給路からなり、圧縮空気が前記共通供給路から供給され、前記各空気ノズルから噴出するようにしたことを特徴とする請求項５に記載のスプレーダンプナ。
【請求項７】
前記空気供給路は前記隔壁空間の外側に設けられ、複数の空気管が前記空気供給路に接続され、前記隔壁空間の壁を貫通し、前記隔壁空間の内部に達し、前記各空気管によって前記各空気ノズルが形成されていることを特徴とする請求項１に記載のスプレーダンプナ。
【請求項８】
前記隔壁空間が前記ハウジングの内側に形成されていることを特徴とする請求項１に記載のスプレーダンプナ。
【請求項９】
前記隔壁空間が前記ハウジングの外側に形成されていることを特徴とする請求項１に記載のスプレーダンプナ。
【請求項１０】
前記湿し水ローラの表面と前記各エッジ間の距離が５ｍｍ以下であることを特徴とする請求項１に記載のスプレーダンプナ。
【請求項１１】
前記隔壁空間に余剰湿し水の排水路が形成されていることを特徴とする請求項１に記載のスプレーダンプナ。
【発明の詳細な説明】
【技術分野】
【０００１】
本発明はオフセット印刷機におけるスプレー方式の湿し水供給装置（以下、”スプレーダンプナ”と言う）に関し、特に印刷機本体で発生したインキミストが湿し水ローラの高速回転によってスプレーダンプナ本体内部に引きずられて侵入し、スプレーノズルにインク汚れを発生させ、或いはスプレーダンプナ内に存在する余剰な湿し水ミストが外部へ漏れて飛散し、不良の印刷紙の発生を防止するようにしたスプレーダンプナに関する。
【背景技術】
【０００２】
オフセット印刷機は、版面の画線部にインキを付着させ、非画線部に湿し水を付着させることにより印刷を行う。版面に湿し水を付着させる装置は、ダンプナと呼ばれる。ダンプナには、動作原理の違いによって、いくつかの種類が存在する。代表的な種類は、湿し水スプレーを使用したスプレーダンプナである。スプレーダンプナは、スプレーノズルを備えており、スプレーノズルから湿し水をスプレー状に水滴として噴射し、湿し水ローラに対して湿し水を供給する。【０００３】
図７は従来のスプレーダンプナの構成を模式的に示したものである。３は湿し水ローラ（クロームローラ）である。湿し水ローラ３は、長さが約１６００ｍｍ程度の円筒形のローラであって、矢印１１０に示す方向に回転する。１１１は、ハウジングである。ハウジング１１１のおおよその断面は、一方に開口１１２を備えたアルファベットの文字の”Ｕ”の形状をしている。ハウジング１１１の長さは、湿し水ローラ３とほぼ同一の長さがある。ハウジング１１１は、開口１１２に近接した湿し水ローラ３の表面１１４とともにスプレー室１１５を形成する。ハウジング１１１は、開口１１２の反対側にスプレーノズル取り付け部１１３を備えている。図１に示すスプレーバー５は、スプレーノズル取り付け部１１３に取り付けられている。図１に示すスプレーバー５に取り付けられたスプレーノズル４のスプレー吹き出し口は、スプレー室１１５内にあって、開口１１２を通して、湿し水ローラ３の表面１１４に湿し水を供給する。ハウジング１１１とスプレーノズル４を組み合わせた構成がスプレーダンプナ装置１００である。【０００４】
さらに、図１は、スプレーダンプナ装置におけるスプレーと版胴の関係を示した模式図である。１は版胴であり、３は湿し水ローラである。版胴１と湿し水ローラ３の間には中間ローラ２がある。中間ローラ２は、湿し水ローラ３に到達した湿し水を均一化して版胴１に移動させる。
図７において、ハウジング１１１は、開口１１２を形成するエッジ１１６及び１１７を備える。エッジ１１６と湿し水ローラ３の表面１１４の間には、間隙１１８が形成され、エッジ１１７と湿し水ローラ３の表面１１４の間には、間隙１１９が形成される。【０００５】
図７に示した従来のスプレーダンプナ装置１００は、主として２つの問題を抱えている。一つは、スプレー室１１５からの湿し水の流出である。スプレー室１１５の中でスプレーノズル４から噴出された湿し水は、すべてが湿し水ローラ３に到達するわけではない。一部は、スプレー室１１５内でミストとなって浮遊する。そうすると、例えば間隙１１９からスプレー室１１５の外部に洩れだす。スプレー室１１５の外に洩れた湿し水ミストは、水滴となって印刷機に付着したり、版胴１の上に滴下して、印刷不良（白抜け）を発生させる。
他の一つの問題は、スプレー室１１５内へのインキミストで代表される異物の侵入である。インキミストは、乳化したインキが印刷機の工程で空中に霧状に浮遊したものである。スプレー室１１５内に設置されたスプレーノズル４は、精密に加工された部品である。スプレーノズル４は、設計通りのスプレーパターンで湿し水を噴射するように加工されている。ノズル４が、外部から侵入したインキミストなどで汚染されると、スプレーノズルの形状の精度が低下し、正しいスプレーパターンが得られない。それを防ぐために、印刷機のオペレータは、定期的にスプレーノズル４の清掃あるいは交換を行う必要がある。また、スプレー室１１５に侵入したインキミストは、スプレーノズル４だけではなく、スプレー室１１５の内部も汚損する。【０００６】
上記のスプレー室１１５から外部への湿し水ミストの流出を防ぎ、外部からスプレー室１１５への異物の侵入を防止するのに役に立つ先行技術が知られている。
特許文献１には、超音波によって湿し水の霧を作り、霧化した湿し水を湿し水ローラに付着させるダンプナ装置が示されている。ここに示されたダンプナ装置は、湿し水の霧を湿し水ローラに接触させる部分の前後に、エアカーテンを備えている。エアカーテンは、外部に出て行こうとする霧を遮る。さらに、ここに示されたダンプナ装置は、余分な霧を、排気ダクトを通して再度水の供給源に戻すメカニズムを備えている。しかし、ここに示された構成は、高速印刷機に対応できない。湿し水ローラの回転数が高くなると湿し水ローラの表面の高速移動に引きずられる空気によって湿し水の霧が外部に引き出される。また、外部からの異物の侵入に対しては当初から考慮されていない。
特許文献１に記載されたダンプナ装置は、エアカーテンのための空気の発生源及び供給源が、ダンプナ装置に一体に組み込まれている。さらに空気の供給源とスリットの出口の距離が離れており、空気の供給源から供給された空気は、直ちにスリットを構成するダクト全体に拡散する。従って、特許文献１に示されたような構成によるエアカーテンでは、湿し水ローラの長さ（約１６００ｍｍ）の全長にわたる十分な強度のあるエアカーテンを作ることができない。
特許文献２には、スプレーダンプナ装置のスプレーノズルにインキミストなどの異物を付着させない技術が示されている。ここに示されたスプレーノズルは、スプレーノズル先端の吹き出し口を壁で保護している。このことにより、スプレーノズル先端の汚染をきわめて効果的に防ぐことができる。しかし、特許文献２には、スプレーダンプナ装置からの湿し水の流出を防ぐ技術は示されていない。
特許文献３には、印刷機に使用するためのブラシ式の洗浄装置が示されている。ここに示された装置は、ダンプナ装置ではないが、ブラシで除去した異物を、洗浄装置の外部にもらさないようにするための構成を備えている。ここに示された装置は、ブラシの両側にエアカーテンを備えている。このことにより、ブラシで浮き上がった異物は、洗浄装置の外部に洩れない。しかし、ここに示された構成のエアカーテンは、単なる空気ダクトが示されているのみで、湿し水ローラの全長（約１６００ｍｍ）にわたって均一に空気の吹き出し強さが強いエアカーテンを作る構成は記載されていない。また、外部からの異物の侵入に対しても考慮されていない。
【特許文献１】実開昭５５−９４８３４号
【特許文献２】特開２００５−１５３５１３号
【特許文献３】特開平６−１１５０５７号
【発明の開示】
【発明が解決しようとする課題】
【０００７】
本発明の目的は、外部からスプレーダンプナの内部にインキミストなどの異物が侵入するのを防止し、同時にスプレーダンプナの内部の湿し水のミストが外部に漏れ出すのを防止することにある。
【課題を解決するための手段】
【０００８】
本発明によれば、湿し水ローラの長さ方向にのび、前記湿し水ローラの周方向に間隔を置いて配置され、前記湿し水ローラの表面に近接する一対のエッジ、および前記各エッジ間に形成され、前記湿し水ローラの表面に対向する開口を有するハウジングと、
前記ハウジングに収容され、前記湿し水ローラの長さ方向に間隔を置いて配置され、前記湿し水ローラの表面に湿し水をスプレーする複数のスプレーノズルと、
前記各エッジに沿って形成され、前記湿し水ローラの表面に対向する開口を有する一対の隔壁空間と、
前記各隔壁空間に収容され、前記湿し水ローラの長さ方向に間隔を置いて配置され、圧縮空気を前記湿し水ローラの表面に向かって噴出する複数の空気ノズルと、
前記各エッジに沿ってのび、前記各空気ノズルに連通し、前記各空気ノズルに圧縮空気を供給する少なくとも一対の空気供給路とを具備したことを特徴とするスプレーダンプナが提供される。【０００９】
請求項２の発明は、前記空気供給路は前記隔壁空間に収容されたエアチューブからなり、前記空気ノズルは前記エアチューブに形成された孔からなることを特徴とする。【００１０】
請求項３の発明は、前記空気供給路は前記隔壁空間の構成部材で構成された空気ダクトからなり、前記空気ノズルは前記空気ダクトに形成された孔からなることを特徴とする。【００１１】
請求項４の発明は、前記各エッジに沿ってぞれぞれ２つ以上の前記空気供給路が設けられ、圧縮空気が前記各空気供給路から供給され、前記各空気ノズルから噴出するようにしたことを特徴とする。【００１２】
請求項５の発明は、前記各隔壁空間がそれぞれ２つ以上の小区画に区切られ、前記各小区画にそれぞれ複数の前記空気ノズルが収容されていることを特徴とする。【００１３】
請求項６の発明は、前記空気供給路は区切られた小区画に共通の共通供給路からなり、圧縮空気が前記共通供給路から供給され、前記各空気ノズルから噴出するようにしたことを特徴とする。【００１４】
請求項７の発明は、前記空気供給路は前記隔壁空間の外側に設けられ、複数の空気管が前記空気供給路に接続され、前記隔壁空間の壁を貫通し、前記隔壁空間の内部に達し、前記各空気管によって前記各空気ノズルが形成されていることを特徴とする。【００１５】
請求項８の発明は、前記隔壁空間が前記ハウジングの内側に形成されていることを特徴とする。【００１６】
請求項９の発明は、前記隔壁空間が前記ハウジングの外側に形成されていることを特徴とする。【００１７】
請求項１０の発明は、前記湿し水ローラの表面と前記各エッジ間の距離が５ｍｍ以下であることを特徴とする。【００１８】
請求項１１の発明は、前記隔壁空間に余剰湿し水の排水路が形成されていることを特徴とする。
【発明の効果】
【００１９】
本発明によれば、スプレーダンプナと湿し水ローラ間の隙間からインクミストが侵入するのを防止し、同時にスプレーダンプナ内において発生した余剰な湿し水ミストがスプレーダンプナの外部に飛散して漏れ出すのを防止するスプレーダンプナのミスト飛散防止・汚れ防止装置を実現することができる。【００２０】
本発明は、請求項１に記載したように、スプレーダンプナのスプレーノズルを収容するハウジングにおいて、一対の隔壁空間を一対のエッジに沿って形成し、その開口を湿し水ローラの表面に対向させた。そして、隔壁空間の内部で空気供給路から供給される圧縮空気を、空気ノズルから吹き出すようにした。
そうすると、空気ノズルから吹き出す圧縮空気は、無用に拡散されることなく効率よく湿し水ローラの表面に吹き付けられる。高速回転する湿し水ローラの表面付近に、空気の層と一体となって付着しているインキミストなどの異物は、湿し水ローラの表面から引き離され、スプレーノズルのあるスプレー空間内に引き込まれる前にスプレー空間の外で空中に舞い上がる。その結果、異物はスプレー空間内に侵入しない。
一方スプレー空間内の湿し水のミストが外部に漏れ出すこともない。【００２１】
請求項２の発明によれば、空気供給路を市販のエアチューブで実現したので、きわめて安価である。空気ノズルはエアチューブに孔として設けることで実現することができる。従って、空気ノズルの加工が容易である。また、仮に空気ノズルが詰まったとしても容易に交換可能である。【００２２】
請求項３の発明によれば、空気供給路を隔壁空間の構成部材で構成したので、空気供給路の断面は自由な形状が選択でき、また量産時の構造的安定性が高い。【００２３】
請求項４の発明によれば、各エッジに沿ってそれぞれ２つ以上の空気供給路を設けたため、空気供給路の空気流通抵抗が少なくなり、より大量の圧縮空気を吹き出すことができる。【００２４】
請求項５の発明によれば、各隔壁空間をそれぞれ２つ以上の小区画に区切ったので、幾分構造は複雑になる。しかし、隔壁空間を２つ以上の小区画の区切ると、隔壁空間及び空気ノズルの作用をより一層高めることができる。【００２５】
請求項６の発明によれば、空気供給路として区切られた小区間に共通の共通供給路を設け、圧縮空気を共通供給路から供給し、各空気ノズルから噴出させるようにしたので、隔壁空間を２つ以上の小区画に分割しても、構造が簡単である。【００２６】
請求項７の発明によれば、空気ノズルを細い管とし、隔壁空間内には、管のみが露出すようにし、空気供給路を、隔壁空間の外あるいはハウジングの外などに配置可能となる。そのため、スプレーダンプナ装置の取り付けの自由度が増す。【００２７】
請求項８の発明によれば、隔壁空間をハウジングの内側に設けたため、本発明を実施する前の既存のスプレーダンプと同一の外形寸法のスプレーダンプナ装置を実現することができ、従来のスプレーダンプナとの互換性が優れる。そのため、容易に従来のスプレーダンプナとの置き換えが可能になり産業上の利用価値が高い。【００２８】
請求項９の発明によれば、隔壁空間をハウジングの外側に設けるようにしたため、ハウジング内のスプレー室の開口面積を広くすることができる。【００２９】
請求項１０の発明によれば、湿し水ローラの表面と各エッジ間の距離を実験によって５ｍｍ以下が望ましいことを見出した。【００３０】
請求項１１の発明によれば、隔壁空間に余剰湿し水の排水路を設けたので、隔壁空間内で液化した余剰湿し水が不用意に空気ノズルの空気の流れを乱すことがない。
【図面の簡単な説明】
【００３１】
【図１】本発明にかかるスプレーダンプナを組み込んだオフセット印刷機の模式図である。
【図２】本発明の実施例を示す斜視図である。
【図３】図２のスプレーダンプナのＩ−Ｉ線に沿った断面図である。
【図４】図３の隔壁空間の拡大図である。
【図５】他の実施例を示す断面図である。
【図６】他の実施例を示す断面図である。
【図７】従来のスプレーダンプナの模式図である。
【図８】他の実施例を示す断面図である。
【図９】他の実施例を示す説明図である。
【図１０】他の実施例を示す断面図である。
【図１１】他の実施例を示す断面図である。
【符号の説明】
【００３２】
３  湿し水ローラ
４  スプレーノズル
６０Ａ，６０Ｂ  隔壁空間
７１Ａ，７１Ｂ  空気供給路
７２  空気ノズル
１００  スプレーダンプナ
１１１  ハウジング
１１４  表面
１１６，１１７，５４３，５４４  エッジ
【発明を実施するための最良の形態】
【００３３】
図１は、オフセット印刷機に使用されるスプレーダンプナの概念図である。１は版胴である。版胴１は、最終的に湿し水を供給すべき胴である。３は湿し水ローラである。２は中間ローラである。版胴１、中間ローラ２は、印刷機の印刷速度に合わせて高速で回転する。４は湿し水を噴射するスプレーノズルである。５は、スプレーノズル４を支持するスプレーバーである。版胴１、中間ローラ２、湿し水ローラ３は、印刷する紙の幅に合わせた長さがあり、新聞印刷機の場合は、１６００ｍｍ程度である。スプレーノズル４は、湿し水ローラ３の表面１１４に均一に湿し水をスプレーするために、横一列に複数個が並んで設けてある。
図２は、本発明のスプレーダンプナのミスト飛散防止・汚れ防止装置を実施したスプレーダンプナの斜視図である。スプレーダンプナ１００は、全体として２つの構造体から構成される。ひとつは、スプレーバー本体部５０及びプレート５２１であり、他のひとつはカバー部５４１である。スプレーバー本体部５０及びプレート５２１とカバー部５４１は、スプレーダンプナ１００の保守作業のときは分離できるようになっている。スプレーバー本体部５０には、図１に示したスプレーバー５及びスプレーノズル４が取り付けられている。カバー部５４１は、スプレーバー本体部５０及びプレート５２１と一体に組み合わさって、全体としてハウジング１１１を構成する。【００３４】
図３は、図２に示したスプレーダンプナ１００を、記号Ｉ−Ｉに沿って示した断面図である。
３は、図１に示した湿し水ローラであり、図３において時計方向に回転する。湿し水ローラ３の反対側には、スプレーバー本体部５０がある。スプレーバー本体部５０の両側にはプレート５２１、５２２が取り付けられている。さらに、プレート５２１、５２２には、それぞれカバー部５４１、５４２が取り付けられている。カバー５４１、プレート５２１、スプレーバー本体部５０、プレート５２２及びカバー部５４２は組み合わさったときにハウジング１１１を形成する。また、エンドカバー５８、エンドプレート５３は、ハウジング１１１の両端にあって、ハウジング１１１の両側を略塞ぐ部材である。
また、ハウジング１１１は、湿し水ローラ３の表面１１４に向けて開口１１２を形成している。【００３５】
スプレーバー本体部５０には、スプレーダンプナ組立体１０が収容されている。スプレーダンプナ組立体１０は、スプレーバー５が取り付けられている。スプレーバー５には、図２に示す給水管１１が接続されている。さらにスプレーバー５には、ノズル基部６を介してノズルナット７が取り付けられている。ノズルナット７には、スプレーノズル４が収容されている。給水管１１から湿し水を供給すると、スプレーノズル４から湿し水がスプレーされる。スプレーバー本体部５０とプレート５２１、５２２は、ネジ５１によって接続されている。ネジ５５は、カバー５４１とプレート５２１を固定し、ネジ５７は、カバー５４２とプレート５２２を固定する。蝶番５６はプレート５２２に対してカバー５４２を開閉可能とする。【００３６】
図３において、６０Ａは第１の隔壁空間であり、６０Ｂは第２の隔壁空間である。７１Ａは第１の空気供給路、７１Ｂは第２の空気供給路である。図４は、第１の隔壁空間６０Ａ付近の部分拡大図である。なお、以後の説明では、第１の隔壁空間６０Ａと第２の隔壁空間６０Ｂは、幾何学的に対称にすることで実現することが可能であるので、どちらか一方について詳細に説明し、他の一方の説明は省略することがある。ただし、幾何学的な対称は、本発明の実施に必要な要件ではない。【００３７】
図４において、６１はアルファベットの文字”Ｌ”の形をした壁部材である。壁部材６１とカバー５４２は、組み合わさって開口７０を持った隔壁空間６０を形成する。７１は、空気供給路としてのエアチューブである。エアチューブ７１は、図２に示すように一端がハウジング１１１から外部に引き出されている。他の一端は、ハウジング１１１の内部で閉じられている。外部に引き出されたエアチューブ７１には、圧縮空気が供給される。７２は、空気ノズルである。６２は、管固定金具である。管固定金具６２は、エアチューブ７１をカバー５４２に固定する。エアチューブ７１は、市販の樹脂製のエアチューブでよい。圧縮空気ノズル７２は、エアチューブ７１にドリルで等間隔に多数の穴をあけるだけでよい。【００３８】
５４５は、排水路である。排水路５４５は、隔壁空間６０内に設けられた水路である。隔壁空間６０には、スプレーノズル４からスプレーされた湿し水の一部がミストとなって侵入する。隔壁空間６０に侵入したミストは、水滴となって壁部材６１などに付着する。また、水滴となった湿し水が、圧縮空気ノズル７２を塞ぐ場合がある。その場合は、排水路５４５によって、湿し水を排水する。排水路５４５によって回収した湿し水は、ハウジング１１１内の他の余剰湿し水とともに、スプレーダンプナ１００の外に排水される。【００３９】
カバー５４２のエッジ５４３と湿し水ローラ３の表面１１４の距離Ｇ１は、５ｍｍ以下がよく、望ましくは４ｍｍ以下がよい。また、壁部材６１のエッジ５４４と湿し水ローラ３の表面１１４の距離Ｇ２は、５ｍｍ以下がよく、望ましくは４ｍｍ以下がよい。
実験は、図３及び図４の構成で、外部からハウジング１１１の内部に侵入するインキミストについて行った。エアチューブ７１は、市販されていて入手が容易な外径６ｍｍ、内径４ｍｍの樹脂製のものを使用した。空気ノズル７２は、５ｍｍピッチで等間隔に直径０．２ｍｍの穴を多数設けた。エアチューブ７１に供給する空気の圧力は、０．１５Ｍｐａ、０．２０Ｍｐａ、０．２５Ｍｐａと変化させた。評価は、スプレーダンプナ１００を実際に印刷機に取り付け、スプレーノズル４の部分に２０ｍｍ角の白紙を両面テープで貼り、インキミストの付着を目視で観察した。
空気の圧力を変えながら距離Ｇ１、Ｇ２を、６ｍｍ、５ｍｍ、４ｍｍ、３ｍｍの４通りで評価したところ、４ｍｍ以下では、紙片には、ほとんどインキミストの付着は起こらない。５ｍｍでは、幾分インキミストの付着が認められ、６ｍｍでは明らかに付着するインキミストが増加した。空気の圧力を変化させて同様の評価を行ったが、空気の圧力による影響はほとんど見られない。ただし、空気を供給しない場合は、距離に関係なく明らかにインキミストの付着が見られた。
また、湿し水ミストの流出については、スプレーダンプナ１００から排出される余剰湿し水の水量から推定可能であり、本発明の効果は十分に確認できた。【００４０】
次に本発明のほかの実施例及び変形例について、図面とともに説明する。本発明を実施するには、図４に示したエアチューブ７１の材質は、樹脂であっても金属であってもよい。同様に、図４に示したカバー５４２と湿し水ローラ１１４との距離Ｇ１及び壁部材６１と湿し水ローラ３の表面との距離Ｇ２は、同じ距離であってもよく、また違っていても良い。一方図３に示した第１の隔壁空間６０Ａと第２の隔壁空間６０Ｂの構造と寸法、空気供給路７１Ａ、７１Ｂの寸法、構造、空気圧など、本発明を構成する要素は、図面上で左右対称にすることでも実現可能である。しかし、当然のことながら、左右対称であるとしたのは発明の理解を助けるための仮定であって、実際に本発明を実施するために必要な要件ではない。それぞれの構成要素の構造、寸法、空気圧などが同じであっても異なっていても、本発明は実施可能である。【００４１】
図５は、図３に示した空気供給路７１に加えて、空気供給路５４７を追加し、２列とした例である。空気供給路５４７には、空気ノズル７２と同様な空気ノズル５４８を設けてある。空気供給路を２列にすると、空気供給路全体の断面積を増加させることができる。そのため、空気供給路の空気抵抗が低下する。また、空気供給路７１、５４７はスプレーダンプナ１００の長さに合わせて、約１６００ｍｍあるが、空気ノズル７２、５４８から噴出する空気は、その全長で均一であることが望ましい。空気供給路を２列にすることにより、１列あたりの空気ノズルの数量を半分にすることができるので、１列の場合より空気の噴出しを均一化することができる。【００４２】
図３及び図４に示した隔壁空間６０は、ハウジング１１１に対して内側に設けている。オフセット印刷機は、スプレーダンプナ１００を取り付ける場合、十分なスペースがない場合がある。特に、既存の印刷機に本発明を実施しようとするときは、本発明を実施する前の既存のスプレーダンプナと同じ寸法にするのが現実的である。既存のスプレーダンプナと同じ外形寸法であれば、既存のスプレーダンプナと置き換えることが可能となる。隔壁空間６０をハウジング１１１の内側に設置すれば、スプレーダンプナ１００の外形寸法が本発明を実施する前の既存のスプレーダンプナと変わらないので、既存の印刷機と最も互換性が高い。【００４３】
図６は、ハウジング１１１を構成するカバー５４２に対して、隔壁空間６０を外側に設けるようにした例を示している。印刷機の機種によるが、既存の印刷機に本発明を実施する場合に、スプレーダンプナ１００の周辺に余裕がある場合は、隔壁空間６０は、ハウジング１１１の外側に設けるほうがよい場合がある。これは、内側に設けると、図７に示す開口１１２の面積が隔壁空間６０を設けた分小さくなるからである。隔壁空間６０を、ハウジング６０の外側に設けることができれば、開口１１２の面積の変化を考慮する必要がなくなる。【００４４】
図８は、図４に示した空気供給路７１を、空気ダクト５５０としたものである。５５１は、アルファベットのＬ字型のダクト板金である。圧縮空気ダクト５５０は、隔壁空間６０を構成する壁部材６１、カバー５４２、ダクト板金５５１によって、長方形に形成されている。７２は、空気ノズルであり、ダクト板金５５１に一列に等間隔に並んでいる。このようにすると、隔壁空間６０の断面積が、図４に示した場合と同一であれば、圧縮空気ダクト５５０の断面積は、チューブ７１よりも広くすることができる。
なお、図８に示した圧縮空気ダクト５５０の形状は例示したものであって、その断面は四角形ではなく、三角形や五角形などその他の形状でもよい。また、位置についても、図８に示した位置に限る必要はなく、隔壁空間６０を構成する構造体の一部を含んでいれば、隔壁空間６０内のどの位置でもよい。【００４５】
図９は、隔壁空間６０内に、空気ノズル５５２を設け、空気供給路（空気ダクト）５５３を隔壁空間６０から離した例である。空気ノズル５５２の先端５５５は、隔壁空間６０内にある。この実施例では、複数の空気管が空気供給路５５３に接続され、支持金具５５４を貫通し、壁部材６１を貫通して、隔壁空間６０の内部に達し、各空気管によって各空気ノズル５５２が形成されている。このようにすることにより、隔壁空間６０と空気供給路５５３を物理的に引き離すことができる。図示はしないが、空気ノズル５５２を、カバー５４２を貫通するようにすれば、空気供給路５５３は、ハウジング１１１の外に設置することもできる。【００４６】
図１０は、図４に示した隔壁空間６０を５６０と５６１の２つの小区画に分離したものである。小区画５６０、５６１には、空気供給路ダクト５６２、５６３を設け、空気ノズル５６４、５６５を設けたものである。図４に示したように、隔壁空間６０は、ひとつであっても十分な効果があるが、複数の小区画に分けることにより、より一層効果がある。なお、図１０では、小区画は５６０と５６１の２つの例を示したが、図示はしないが３つ以上であってもよい。【００４７】
図１１は、図４に示した隔壁空間６０を５６０と５６１の２つの小区画に分離したものである。小区画５６０、５６１には、その間にひとつの空気供給路５６６を設けた。空気供給路５６６には、小区画５６０のための空気ノズル５６７及び小区画５６１のための空気ノズル５６８を設けた。なお、図１１では、小区画は、５６０と５６１の２つの例を示したが、３つ以上の小区画を設けても良い。
【図１】
2009041582.tif 000003
【図２】
2009041582.tif 000004
【図３】
2009041582.tif 000005
【図４】
2009041582.tif 000006
【図５】
2009041582.tif 000007
【図６】
2009041582.tif 000008
【図７】
2009041582.tif 000009
【図８】
2009041582.tif 000010
【図９】
2009041582.tif 000011
【図１０】
2009041582.tif 000012
【図１１】
2009041582.tif 000013
【手続補正書】
【提出日】平成21年8月5日(2009.8.5)
【手続補正１】
【補正対象書類名】特許請求の範囲
【補正対象項目名】請求項１
【補正方法】変更
【補正の内容】
【請求項１】
湿し水ローラの長さ方向にのび、前記湿し水ローラの周方向に間隔を置いて配置され、前記湿し水ローラの表面に近接する一対のエッジ、および前記各エッジ間に形成され、前記湿し水ローラの表面に対向する開口を有するハウジングと、
前記ハウジングに収容され、前記湿し水ローラの長さ方向に間隔を置いて配置され、前記湿し水ローラの表面に湿し水をスプレーする複数のスプレーノズルと、
前記各エッジに沿って形成され、前記湿し水ローラの表面に対向する開口を有する一対の隔壁空間と、
前記各隔壁空間に収容され、かつ前記湿し水ローラの長さ方向に間隔を置いて配置されるとともに、圧縮空気を前記湿し水ローラの表面に向けて噴出する複数の空気ノズルと、
前記各エッジに沿ってのび、前記各空気ノズルに連通し、前記各空気ノズルに圧縮空気を供給する少なくとも一対の空気供給路とを具備したことを特徴とするスプレーダンプナ。
【手続補正２】
【補正対象書類名】特許請求の範囲
【補正対象項目名】請求項４
【補正方法】変更
【補正の内容】
【請求項４】
前記各エッジに沿ってそれぞれ２つ以上の前記空気供給路が設けられ、圧縮空気が前記各空気供給路から供給され、前記各空気ノズルから噴出するようにしたことを特徴とする請求項１に記載のスプレーダンプナ。
【手続補正３】
【補正対象書類名】明細書
【補正対象項目名】０００６
【補正方法】変更
【補正の内容】
【０００６】
く湿し水ローラの表面に吹き付けられる。高速回転する湿し水ローラの表面付近に、空気の層と一体となって付着しているインキミストなどの異物は、湿し水ローラの表面から引き離され、スプレーノズルのあるスプレー室内に引き込まれる前にスプレー室の外で空中に舞い上がる。その結果、異物はスプレー室内に侵入しない。
一方スプレー室内の湿し水のミストが外部に漏れ出すこともない。
［００２１］
請求項２の発明によれば、空気供給路を市販のエアチューブで実現したので、きわめて安価である。空気ノズルはエアチューブに孔として設けることで実現することができる。従って、空気ノズルの加工が容易である。また、仮に空気ノズルが詰まったとしても容易に交換可能である。
［００２２］
請求項３の発明によれば、空気供給路を隔壁空間の構成部材で構成したので、空気供給路の断面は自由な形状が選択でき、また量産時の構造的安定性が高い。
［００２３］
請求項４の発明によれば、各エッジに沿ってそれぞれ２つ以上の空気供給路を設けたため、空気供給路の空気流通抵抗が少なくなり、より大量の圧縮空気を吹き出すことができる。
［００２４］
請求項５の発明によれば、各隔壁空間をそれぞれ２つ以上の小区画に区切ったので、幾分構造は複雑になる。しかし、隔壁空間を２つ以上の小区画の区切ると、隔壁空間及び空気ノズルの作用をより一層高めることができる。
［００２５］
請求項６の発明によれば、空気供給路として区切られた小区間に共通の共通供給路を設け、圧縮空気を共通供給路から供給し、各空気ノズルから噴出させるようにしたので、隔壁空間を２つ以上の小区画に分割しても、構造が簡単である。
［００２６］
請求項７の発明によれば、空気ノズルを細い管とし、隔壁空間内には、管のみが露出すようにし、空気供給路を、隔壁空間の外あるいはハウジングの外などに配置可能となる。そのため、スプレーダンプナ装置の取り付けの自由度が増す。
［００２７］
請求項８の発明によれば、隔壁空間をハウジングの内側に設けたため、本発明を実施する前の既存のスプレーダンプと同一の外形寸法のスプレーダンプナ装置を実現することができ、従来のスプレーダンプナとの互換性が優れる。そのため、容易に従来のスプレーダンプナとの置き換えが可能になり産業上の利用価値が高い。
［００２８］
請求項９の発明によれば、隔壁空間をハウジングの外側に設けるようにしたため、
【国際調査報告】
2009041582.tif 000014
2009041582.tif 000015
2009041582.tif 000016
2009041582.tif 000017